(57)【特許請求の範囲】
【請求項１】
位置固定された読取窓を介してオペレータが視認可能な角度範囲で読取位置に位置付けられる商品コードを読み取るスキャナ部と、
前記読取位置を経由して上流側から下流側へ移動される前記商品コードの移動経路に沿った位置で前記読取位置より前記商品コードの移動方向下流側に設けられて前記スキャナ部で読み取った前記商品コードに応じた商品データを表示する表示部と、
を具備し、
前記スキャナ部は、前記読取窓を斜め下方に向けて傾けて配置し、
前記表示部は、前記読取窓と略同一の高さとなる位置に位置付けられ、斜め上方に向けて傾けて配置可能である、
スキャナ装置。
【請求項２】
前記表示部は、表示角度をチルト方向、スイーベル方向およびチルト方向とスイーベル方向との複合方向に調整自在に設けられている請求項１記載のスキャナ装置。
【請求項３】
前記表示部は、その表示面の上部を前記読取窓と略同一の高さとなる位置に位置付けて下部を前記移動経路と略同一の高さとなる位置に位置付けて配置する、請求項１または２記載のスキャナ装置。
【発明の詳細な説明】
【０００１】
【発明の属する技術分野】
本発明は、スキャナ装置および商品コードの入力方法に関する。
【０００２】
【従来の技術】
例えば、スーパーマーケット等の小売店では、入力された商品コードに基づいて、取引に関わる商品の販売データ処理を行なうようにしている店舗がある。商品コードは、例えば、商品に付されたバーコードを光学的に読み取るバーコードスキャナ等のスキャナ装置を用いて入力することができる。バーコードスキャナ等のスキャナ装置は、レーザ光を出射する光源や光源から出射されたレーザ光を偏向走査する光学系等を有し、光学系によって偏向走査したレーザ光を読取窓を介して外部に照射させ、バーコードからの反射光量に基づいて商品コードを読み取り入力する。
【０００３】
このようなバーコードスキャナには、オペレータが手で持った状態で使用されて、読取窓を商品に近付けることでこの商品に付されたバーコードを読み取るハンディタイプや、チェックアウトカウンタに取り付けられた支持部材等によって所定の高さに位置付けられた読取窓に商品を近付けることでこの商品に付されたバーコードを読み取る定置タイプ等がある。
【０００４】
一般的に、定置タイプのバーコードスキャナでのバーコードの読み取りに際しては、読取窓にバーコードを対向させた状態で、バーコードが読取窓の一方側から他方側に横切るように商品を一方側から他方側へ移動させる。以降、バーコードを読み取るために商品が移動される方向を「商品読取方向」とし、この商品読取方向において、読取窓に対して読み取り前の商品が位置する側を上流側、読取窓に対して読み取り後の商品が位置する側を下流側とする。
【０００５】
ところで、定置タイプのバーコードスキャナは、バーコードを読み取ることにより入力された商品データに応じた表示データを表示させる表示部を備えている。この表示部には、例えば、商品名や商品単価等の商品データが表示される。オペレータは、バーコードを読み取った後、表示部に表示される商品データを視認することで、読み取りが正しく行われたか、あるいは、読み取った情報が正しいものであるかを確認することができる。
【０００６】
従来では、表示部が、読取窓よりも商品読取方向上流側に設けられた定置タイプのバーコードスキャナがある。表示部には、表示面のチルト調整またはスイーベル調整を行なうことができるようにチルト機構またはスイーベル機構を備えているものがある。これにより、オペレータの身長や、バーコードスキャナの設置位置等によって、表示面のチルト調整またはスイーベル調整を行なうことができる。
【０００７】
【発明が解決しようとする課題】
一般的に、オペレータは、バーコードの読み取り作業に際して、バーコードに読取位置を正しく通過させることができるように、バーコードが付された商品の動きに視線を追従させている。
【０００８】
ところが、上述したように、従来の定置タイプのバーコードスキャナでは、読取窓よりも商品読取方向上流側に表示部が設けられているため、バーコードの読み取りに際して商品を移動させることにより商品が読取窓よりも商品読取方向下流側に位置しているにも拘わらず、その商品データは読取窓よりも商品読取方向上流側に表示される。このため、オペレータは、読取窓を間にして商品読取方向上流側から下流側に移動させた後、再び読取窓よりも商品読取方向上流側に視線を戻さなくては、表示される商品データを確認することができない。これにより、バーコードの読み取り作業に際して、商品の移動軌跡から大きく視線を逸脱させる動作が生じるため、その分作業性が低下する。
【０００９】
また、上述したように、従来の定置タイプのバーコードスキャナの表示部は、チルト調整またはスイーベル調整のいずれか一方しかできないため、チルト調整またはスイーベル調整を行ったとしても、調整後の表示面が必ずしもオペレータにとって最適な位置に位置付けられているとは限らない。
【００１０】
本発明は、商品コードの入力作業の高効率化を図ることができるスキャナ装置および商品コードの入力方法を提供することを目的とする。
【００１１】
【課題を解決するための手段】
本発明は、位置固定された読取窓を介してオペレータが視認可能な角度範囲で読取位置に位置付けられる商品コードを読み取るスキャナ部と、前記読取位置を経由して上流側から下流側へ移動される前記商品コードの移動経路に沿った位置で前記読取位置より前記商品コードの移動方向下流側に設けられて前記スキャナ部で読み取った前記商品コードに応じた商品データを表示する表示部と、を具備し、前記スキャナ部は、前記読取窓を斜め下方に向けて傾けて配置し、前記表示部は、その表示面の上部を前記読取窓と略同一の高さとなる位置に位置付けて下部を前記移動経路と略同一の高さとなる位置に位置付け、当該表示面を斜め上方に向けて傾けて配置する。
【００１２】
したがって、スキャナ部の一方側から読取位置を経由して他方側へ移動される際に読み取られる商品コードの移動経路に沿った位置で、読取位置より商品コードの移動方向下流側に読み取った商品コードに応じた商品データを表示させることができる。
【００１３】
【発明の実施の形態】
本発明の一実施の形態を図１ないし図７を参照して説明する。本実施の形態では、例えば、スーパーマーケット等の小売店におけるチェックアウトシステムに利用されて商品に付されている商品コードとしてのバーコードを読取対象とする定置タイプのスキャナ装置への適用例を示す。
【００１４】
図１は、本実施の形態のスキャナ装置を示す斜視図である。スキャナ装置１は、下端がチェックアウトカウンタ２に固定された支持部材３を備えている。オペレータは、自身の左右方向とチェックアウトカウンタ２の長手方向とが等しくなるような向きで、チェックアウトカウンタ２を介してスキャナ装置１に正対するような位置を立ち位置として、この立ち位置で後述するバーコード読み取り作業等の作業を行なう。支持部材３は、チェックアウトカウンタ２の、オペレータの立ち位置と反対側に取り付けられている。これにより、バーコードＢＣの読み取りに際して、オペレータの作業空間を確保することができる(図７参照)。
【００１５】
支持部材３の上部には、オペレータの立ち位置側に向けて開口する開口部４が設けられており、この開口部４には透光性の材料により形成された読取窓５が設けられている。
【００１６】
支持部材３は、読取窓５より下側部分からチェックアウトカウンタ２側に傾斜するように上部３ａが屈曲されている。支持部材３の上部３ａは中空形状とされており、この上部３ａの内側には、図２に示すように、レーザ光を偏向走査して所定の読取位置に導く出射光学系６と、読取位置に位置するバーコードＢＣからの反射光を受光する受光光学系７とを備えるレーザ光照射光学系８が設けられている。
【００１７】
出射光学系６は、レーザ光を発光する光源９、光源９からのレーザ光を集光する集光レンズ１０、モータ３５により高速回転されてレーザ光を偏向走査する複数の反射面１１ａを備えた回転多面鏡１１、回転多面鏡１１で偏向走査されたレーザ光を読取窓５に向けて偏向する固定反射鏡１２等を備えている。出射光学系６は、光源９で発行されたレーザ光を、回転多面鏡１１によって複数の方向へ偏向させる。これにより、読取窓５には、複数の方向へ偏向されたレーザ光によって、図示しない読取パターンが形成される。本実施の形態では、読取窓５を透過して出射されるレーザ光の読取有効範囲を読取位置とする。読取位置は、後述するバーコードＢＣの読み取り作業に際して、スキャナ装置１の一方側(左側)から他方側(右側)へ移動される商品Ｓに付されたバーコードＢＣが経由する移動経路Ｘ(図６参照)上に設けられている。
【００１８】
受光光学系７は、バーコードＢＣから固定反射鏡１２，回転多面鏡１１を介して受光した反射光を集光して反射する集光鏡１３、この集光鏡１３から反射した光を方向変換する反射鏡１４、この反射鏡１４からの反射光を受光する受光素子１５等を備えている。
【００１９】
以降、本実施の形態では、後述するバーコードＢＣの読み取り作業に際して、バーコードＢＣが移動経路Ｘに沿って商品Ｓ(図６参照)が移動される方向を商品読取方向(商品コードの移動方向)とし、読取窓５よりも左側を商品読取方向上流側、読取窓５よりも右側を商品読取方向下流側とする。
【００２０】
また、レーザ光照射光学系８は、出射するレーザ光の強度や偏向走査角等の条件から、所定の範囲におけるバーコードＢＣを適正に読み取ることができるように設計されている。以降、レーザ光照射光学系８によってバーコードＢＣを適正に読み取ることができる範囲を読取位置(図７参照)とする。この読取位置は、バーコードの読み取り作業の容易性等から、チェックアウトカウンタ２より上方で、オペレータの胸部と同等の高さよりも下方に設定されることが望ましい。
【００２１】
支持部材３の直立部分３ｂには、読取窓５より商品読取方向下流側に延出するアーム１６が設けられている。アーム１６の先端には、図３に示すように、ボールジョイント機構１７を介して表示部１８が連結されている。公知の技術であるため説明を省略するが、ボールジョイント機構１７は、図４に示すように、オペレータの立ち位置方向へ向けてチェックアウトカウンタ２のカウンタ面２ａと平行に突出する継ぎ手部材１９と、継ぎ手部材１９の先端に設けられた球状部材２０と、表示部１８のケーシング２１の背面側に設けられたカバー部材２２とを備え、カバー部材２２に設けられて球状部材２０の直径よりも小さい孔２２ａに球状部材２０を嵌め込んだ構造を有している。球状部材２０の外周面とカバー部材２２の内側面とは、表示部１８の自重およびオペレータによるキー操作によって加えられる荷重よりも大きい摩擦力を有して摺接している。球状部材２０の外周面に対するカバー部材２２の内側面の摺接位置を調整することにより、チルト方向、スイーベル方向およびチルト方向とスイーベル方向との複合方向のいずれの方向にも、ケーシング２１の傾斜角度を自在に調整し、調整した位置で固定することができる。
【００２２】
表示部１８のケーシング２１におけるカバー部材２２と反対側には、液晶ディスプレイ２４が設けられている。この液晶ディスプレイ２４の表示面側には、抵抗膜式のタッチパネル２５が積層されている。
【００２３】
表示部１８は、移動経路Ｘに沿った位置に、液晶ディスプレイ２４の表示有効面の少なくとも一部が位置付けられるように設けられている。また、表示部１８は、液晶ディスプレイ２４の表示有効面の少なくとも一部が、移動経路Ｘよりも上方に位置するように設けられている。本実施の形態では、特に、液晶ディスプレイ２４の表示有効面の少なくとも一部が、移動経路Ｘよりも上方に位置するとともにオペレータの胸部と同等の高さよりも下方となるように設けられている。
【００２４】
加えて、チェックアウトカウンタ２には、バーコードＢＣの読み取りに際してチェックアウトカウンタ２のカウンタ面２ａに載置されるカゴＡ，Ｂの設置場所および設置方向を案内する位置合わせマークＭＡ，ＭＢが設けられている。位置合わせマークＭＡ，ＭＢは、カゴＡ，Ｂの底面の形状と同様の長方形状のマークである。位置合わせマークＭＡは、スキャナ装置１の商品読取方向上流側(一方側)に、スキャナ装置１に対するオペレータの正対方向に長手方向を揃えるように設けられている。位置合わせマークＭＢは、スキャナ装置１の商品読取方向下流側(他方側)に、オペレータの左右方向に長手方向を揃えるように設けられている。
【００２５】
ここで、カゴＡは、バーコードＢＣの読み取り前の商品が入れられて、この商品を店舗内で運搬するために用いられる。本実施の形態では、カゴＡによって第一のカゴが実現されている。また、カゴＢは、後述するバーコードＢＣの読み取り作業が終了した商品Ｓを入れるために用いられる。本実施の形態では、カゴＢによって第二のカゴが実現されている。
【００２６】
次に、スキャナ装置１が備える各部の電気的接続について説明する。図４は、スキャナ装置１が備える各部の電気的接続を示すブロック図である。スキャナ装置１は、マイクロコンピュータ(以下マイコンと略す)３０を内蔵し、このマイコン３０がスキャナ装置１が備える各部を駆動制御する。マイコン３０は、バスライン３１を介して、スキャナ装置１が備える各部を集中的に制御するＣＰＵ３２にプログラム等の固定的データを予め格納するＲＯＭ３３と可変的なデータを書き換え自在に格納するＲＡＭ３４とを接続することにより構成されている。スキャナ装置１の起動時には、マイコン３０に接続された各部が正常に動作することが確認され、ＲＯＭ３３に格納された起動プログラムの実行によりＲＯＭ３３に格納された各種制御プログラムがＲＡＭ３４に書き込まれる。これによって、以下に示すマイコン３０によって駆動制御される各部の駆動制御が可能となる。
【００２７】
液晶ディスプレイ２４は、表示制御回路３６を介してバスライン３１に接続されている。液晶ディスプレイ２４には、例えば、操作ガイダンス、タッチパネル２５の操作をガイドするためのキーのイラスト、読み取ったバーコードに応じた商品データＪ(図６参照)等が表示される。
【００２８】
タッチパネル２５は、入力制御回路３７を介してバスライン３１に接続されている。タッチパネル２５は、オペレータにタッチされた位置を示す座標データを、入力制御回路３７を介してマイコン３０に向けて出力する。
【００２９】
光源９は、発光制御回路３８を介してバスライン３１に接続されている。発光制御回路３８は、マイコン３０からの発光制御信号に基づいて、光源９の発光タイミング等を制御する。
【００３０】
モータ３５は、回転制御回路３９を介してバスライン３１に接続されている。回転制御回路３９は、マイコン３０からの回転制御信号に基づいて、モータ３５を回転駆動させる。
【００３１】
受光素子１５は、光電変換回路４０を介してバスライン３１に接続されている。光電変換回路４０は、受光素子１５が受光する光量に応じた光信号を電気信号に光電変換して、この電気信号をマイコン３０に向けて出力する。出力された電気信号によって商品コードが入力される。ここに、出射光学系６、受光光学系７および光電変換回路４０によってスキャナ部が実現されている。
【００３２】
また、バスライン３１には、図示しないＰＯＳ端末や電子キャッシュレジスタ等の決済装置との間でデータ通信を行うためのＩ／Ｆ４１が接続されている。これにより、バーコードの読み取りによって入力された商品コードを、決済装置に出力することができる。
【００３３】
加えて、本実施の形態のマイコン３０にはＰＲＯＭ４２が接続されており、このＰＲＯＭ４２には、商品名や商品単価等の商品データを商品コード毎に対応付けて記憶する図示しない商品マスタファイルが格納されている。これによって、後述するように、バーコードを読み取った場合、入力された商品コードに対応する商品データをＰＯＳ端末等の決済装置に格納されている商品マスタファイルまでアクセスすることなく、迅速に取得することができる。
【００３４】
スキャナ装置１は、起動されることにより、マイコン３０から発光制御回路３８に発光信号が出力され、回転制御回路３９に回転制御信号が出力される。これにより、光源９から発光された光が、モータ３５によって高速回転される回転多面鏡１１で偏向走査され、上述したように読取窓５から読取位置に向けて出射される。スキャナ装置１は、以下に説明するバーコードＢＣの読み取り作業によるバーコードの読み取りを開始するまで、このままの状態で待機している。
【００３５】
なお、本実施の形態では、バーコードの読み取りを直ちに開始できる状態で待機するようにしたが、これに限るものではなく、例えば、バーコードＢＣの読み取りを所定時間行わない場合には、光源９の発光を休止状態とするようにしてもよい。
【００３６】
次に、スキャナ装置１を用いたバーコードＢＣの読み取り作業について図６および図７を参照して説明する。なお、バーコードＢＣの読み取り作業は、顧客が商品を選択し、選択された商品に付されたバーコードをキャッシャが読み取るような運用形態での使用を想定し、オペレータとしてキャッシャがバーコードＢＣの読み取り作業を行ってもよいし、顧客が選択した商品に付されたバーコードを顧客自身が読み取るようないわゆるセルフチェック方式の運用形態を想定し、オペレータとして顧客がバーコードＢＣの読み取り作業を行ってもよい。
【００３７】
バーコードＢＣの読み取りに際しては、まず、図６に示すように、バーコードＢＣを読み取る前の商品が入ったカゴＡをチェックアウトカウンタ２のカウンタ面２ａに設けられた位置合わせマークＭＡに合わせて載置し(第一のカゴを載置するステップ)、バーコードＢＣを読み取った後の商品が入れられるカゴＢをチェックアウトカウンタ２のカウンタ面２ａに設けられた位置合わせマークＭＢに合わせて載置する(第二のカゴを載置するステップ)。これにより、カウンタ面２ａ上には、カゴＡ，Ｂが略Ｌ字型に載置される。
【００３８】
このような状態で、オペレータは、バーコードＢＣが付された商品ＳをカゴＡから取り出し、図７に示すように、この商品Ｓに付されたバーコードＢＣが読取窓５に対向した状態で読取位置を通過するように、商品移動方向上流側から下流側へ移動させる(移動させるステップ)。バーコードＢＣが読取位置を通過すると、バーコードＢＣからの反射光が読取窓５を介して受光光学系７により受光素子１５へ導かれる。これによって、バーコードＢＣの読み取りが行われ、商品コードが入力される(商品コードを読み取るステップ)。
【００３９】
本実施の形態では、上部３ａによって読取窓５が傾斜しているので、バーコードＢＣを読取窓５に対向するようにすると、商品ＳのバーコードＢＣが設けられている面も斜めになる。これにより、オペレータが視認可能な角度範囲でバーコードＢＣを読取位置に位置付け、バーコードＢＣを斜めに見ながらバーコードＢＣの読み取りを行なうことができる。
【００４０】
入力された商品コードに基づいて、ＰＲＯＭ４２の商品マスタファイルが検索され、商品マスタファイルから取得された商品データＪに基づく表示データが表示部１８の液晶ディスプレイ２４に表示される(商品データを表示させるステップ)。オペレータは、表示部１８に表示された商品データを目視により確認し、バーコードＢＣの読み取りが済んだ商品をカゴＢに入れる。
【００４１】
ところで、上述したように、オペレータは、カゴＡから取り出した商品Ｓを、読取窓５より上流側から読取位置を介して読取窓５より下流側へ移動させることによってバーコードＢＣを読み取らせ、バーコードＢＣの読み取りが済んだ商品をカゴＢに入れるとともに液晶ディスプレイ２４に表示される商品データＪを視認することで、読み取りが正しく行われたか、あるいは、読み取った情報が正しいものであるかを確認するという一連の動作を行なう。
【００４２】
ところで、バーコードＢＣの読み取り作業に際しては、一般的に、読取位置中をバーコードＢＣを通過させるために、オペレータはバーコードＢＣを目視しながら移動させる。このとき、読取位置は、上述したように、読取窓５よりも商品読取方向下流側に設けられているため、上述した一連の動作に際して、商品Ｓに付されたバーコードＢＣが液晶ディスプレイ２４の前を通過するタイミングはバーコードＢＣの読み取りが完了しているタイミングとなる。
【００４３】
本実施の形態の表示部１８は、移動経路Ｘに沿った位置に、液晶ディスプレイ２４の表示有効面の少なくとも一部が位置付けられるように設けられているため、表示部１８は、商品Ｓに付されたバーコードＢＣの移動に追従するオペレータの視線の移動範囲内に位置付けられ、この表示部１８がオペレータの視界に入るタイミングで商品データＪを液晶ディスプレイ２４に表示させることができるので、オペレータは、この一連の動作に際して、商品Ｓを移動させるための視線の移動軌跡Ｘから、表示部１８の液晶ディスプレイ２４に表示された商品データＪを見るために目線を大きく移動させることなく商品データＪを確認することができる。
【００４４】
これによって、バーコードＢＣを読み取る、正しく読み取れたことを確認する、あるいは、表示された情報の正否を確認する、といった作業を、商品Ｓを読取方向に移動させる一連の動作の中で格別に意識させることなく自然に行なうことができるので、バーコードＢＣの読み取り作業すなわち商品コードの入力作業に際する視線の移動を最小限に抑え、無駄な動きが発生することを抑制し、商品コードの入力作業の高効率化を図ることができる。
【００４５】
加えて、本実施の形態では、特に、オペレータの胸部と同等の高さよりも下方であって移動経路Ｘよりも上方となる位置に、液晶ディスプレイ２４の表示有効面の少なくとも一部が位置付けられるように設けられているため、オペレータに不自然な体勢をとらせることなく、バーコードＢＣの読み取り作業に際して、オペレータにかかる負担を軽減することができる。
【００４６】
また、図６に示すように、カゴＡ，Ｂをそれぞれチェックアウトカウンタ２のカウンタ面２ａに設けられた位置合わせマークＭＡ，ＭＢに合わせて設置することで、カゴＡから商品Ｓを取り出す作業と、バーコードＢＣの読み取り後の商品ＳをカゴＢに入れる作業とをより容易化することができる。詳細には、カゴＡは、カゴＡから商品Ｓを取り出そうとして挿入されるオペレータの腕の挿入方向に等しいため、オペレータはよりスムーズにカゴＡから商品を取り出すことができる。また、カゴＢは、バーコードＢＣの読み取り作業が終了し、カゴＢに入れようとする商品Ｓの移動方向に長手方向を揃えて載置されているため、商品ＳをよりスムーズにカゴＢに入れることができる。これによって、バーコードＢＣの読み取り作業の効率化を図ることができる。
【００４７】
なお、本実施の形態では、商品コードとしてバーコードＢＣについて説明したが、これに限るものではない。例えば、スーパーマーケット等の小売店のように、精算前の商品を複数まとめて買い物カゴ等に入れて運搬し、スキャナ装置１を用いて商品コードを入力する場合、この商品にＱＲコード等の二次元コードが付されていても、商品コードの入力が終了した商品Ｓを入力前の商品Ｓと区別するために、スキャナ装置１を間にして入力前の商品Ｓと反対側に載置された別の買い物カゴ(カゴＢ)に入れるような運用を行うことが想定される。このため、商品コードの入力作業に際しては、商品コードの入力が終了した商品Ｓを入力前の商品Ｓと区別するために読み取り前の商品側から読み取り後の商品側へ、という商品読取方向が生じる。このため、レーザ光の走査方向等によって商品Ｓの移動方向が決定付けられるバーコードＢＣの読み取りに限らず、二次元コード等の読み取りであっても本実施の形態のスキャナ装置１を適用することができる。
【００４８】
このように本実施の形態においては、表示部１８を移動経路Ｘよりも上方に設けることで、移動経路Ｘを移動される商品コード(あるいは商品コードが付されている商品)によってオペレータの視界が遮られることがないので、表示部１８に表示される商品コードの確認動作をより確実に行なわせることができる。
【００４９】
また本実施の形態においては、表示部１８は、読取窓５と同じ高さに設けられているため、バーコードＢＣの読み取りに際して、読取位置よりも目視により位置を確認することが可能な読取窓５を基準として、この読取窓５にバーコードＢＣが対向するようにして商品Ｓを移動させることで、商品Ｓが確実に表示部１８の前方を通過するため、表示部１８に表示される商品コードの確認動作をより確実に行なわせることができる。
【００５０】
また本実施の形態においては、表示部１８は、表示角度をチルト方向、スイーベル方向およびチルト方向とスイーベル方向との複合方向に調整自在に設けられているため、オペレータの身長等に依存することなく、移動経路Ｘに沿った位置に表示部１８を配置することができる。
【００５１】
また本実施の形態においては、読取位置に位置付けられる商品コードを位置固定された読取窓５を介して読み取るスキャナ部(例えば、スキャナ装置１)の一方側(商品読取方向上流側)に、オペレータの正対方向に長手方向を揃えて商品コードが付された商品Ｓが入った第一のカゴＡを載置させ、スキャナ部の他方側に、オペレータの左右方向に長手方向を揃えて第二のカゴＢを載置させ、オペレータが視認可能な角度範囲で商品コードが読取位置を通過するように第一のカゴＡに入った商品Ｓを取り出して第二のカゴＢへ移動させ、読取位置を通過する商品コードを読み取らせ、商品コードの移動経路Ｘに沿って設けられた表示部１８にスキャナ部が読み取った商品コードに応じた商品データＪを表示させることにより商品コードを入力させるため、商品読取方向上流側から下流側に移動させた後、表示部１８に表示される商品データＪを確認するために、再び視線を商品読取方向上流側に戻すという非効率的な動作が発生するという課題を解決し、カゴＡからの商品Ｓの取り出しを容易にし、カゴＢへ商品Ｓを入れ易くして、商品コードの入力作業のより一層の高効率化を図ることができる。
【００５２】
【発明の効果】
本発明によれば、商品コードの移動に追従するオペレータの視線の移動範囲内に表示部を位置付けるとともに、この表示部がオペレータの視界に入るタイミングで商品データを表示させることができ、これによって、商品データの入力の有無の確認や、入力した商品データの正誤確認等を、商品データの入力動作の流れの中で、格別に意識させることなく自然に行なうことができ、商品コードの読み取り作業に際しての視線の移動を最小限に抑えて、商品コードの入力作業の高効率化を図ることができる。
【図面の簡単な説明】
【図１】本発明の第一の実施の形態のスキャナ装置を示す斜視図である。
【図２】レーザ光照射光学系を示す縦断側面図である。
【図３】表示部を動作状態とともに示す側面図である。
【図４】表示部の取付構造を示す水平断面図である。
【図５】スキャナ装置が備える各部の電気的接続を示すブロック図である。
【図６】バーコードの読み取り作業に際してのカゴの配置状態を示す斜視図である。
【図７】バーコードの読み取り作業に際しての動作を示す説明図である。
【符号の説明】
１…スキャナ装置、５…読取窓、６，７，４０…スキャナ部、１８…表示部、Ａ…第一のカゴ、Ｂ…第二のカゴ、Ｘ…移動経路
【図１】
0003669630.tif 000002
【図２】
0003669630.tif 000003
【図３】
0003669630.tif 000004
【図４】
0003669630.tif 000005
【図５】
0003669630.tif 000006
【図６】
0003669630.tif 000007
【図７】
0003669630.tif 000008